(57)【特許請求の範囲】
【請求項１】
ユーザの行動情報を取得する行動情報取得工程と、
第１のユーザについての前記行動情報と他のユーザについての前記行動情報とに基づいて、前記第１のユーザと前記他のユーザとの関連度を算出する関連度算出工程と、
前記第１のユーザから前記他のユーザに対する前記行動情報の取得要求を受け付ける取得要求受付工程と、
前記取得要求を受け付けた際の前記第１のユーザの行動情報に基づいて、前記第１のユーザから前記他のユーザに要求する情報を決定する要求情報決定工程と、
前記第１のユーザから前記他のユーザに対して前記行動情報を要求する情報要求工程であって、前記決定した行動情報を前記算出した関連度に応じて要求する情報要求工程と、
前記要求に応じて取得した前記他のユーザの行動情報を前記第１のユーザに提示する情報提示工程と、
を情報提示装置が実行する情報提示方法であって、
前記情報提示装置は、前記要求情報決定工程では、あらかじめ記憶された、前記取得要求を受け付けた際の前記第１のユーザの行動情報と前記他のユーザに要求する行動情報との関係を参照して前記他のユーザに要求する行動情報を決定する情報提示方法。
【請求項２】
前記情報提示装置は、前記関連度算出工程では前記行動情報の共通度に応じて関連度を算出する請求項１に記載の情報提示方法。
【請求項３】
前記情報提示装置は、前記関連度算出工程では、前記行動情報に含まれる情報のうちの特定の情報の共通度に対する重み付けを他の情報の共通度に対する重み付けよりも高くして前記関連度を算出する請求項１または２に記載の情報提示方法。
【請求項４】
前記情報提示装置が前記他のユーザからの情報取得要求に応じて前記第１のユーザの行動情報を前記他のユーザに提示する情報送信工程をさらに含む、請求項１から３のいずれか１項に記載の情報提示方法。
【請求項５】
前記情報提示装置は、前記情報送信工程では、前記第１のユーザに提示した前記他のユーザの行動情報に対応する前記第１のユーザの行動情報を前記他のユーザに提示する請求項４に記載の情報提示方法。
【請求項６】
前記情報提示装置は、前記行動情報取得工程では、前記ユーザの時間情報、位置情報、生体情報、及び撮影情報のうちの２つ以上の情報であって、一の情報が他の情報に対応して取得された情報である第１の情報を含む前記行動情報を取得する請求項１から５のいずれか１項に記載の情報提示方法。
【請求項７】
前記情報提示装置は、前記要求情報決定工程では、前記ユーザの時間情報、位置情報、及び生体情報のうちの２つ以上の情報であって、一の情報が他の情報に対応して取得された情報である第２の情報により前記他のユーザに要求する情報を決定する請求項１から６のいずれか１項に記載の情報提示方法。
【請求項８】
前記情報提示装置は、前記情報提示工程では、前記ユーザの時間情報と、位置情報と、生体情報と、撮影情報と、のうちから選択した複数の情報を関連づけて提示する請求項１から７のいずれか１項に記載の情報提示方法。
【請求項９】
請求項１から８のいずれか１項に記載の情報提示方法を情報提示装置に実行させる情報提示プログラム。
【請求項１０】
ユーザの行動情報を取得する行動情報取得部と、
第１のユーザについての前記行動情報と他のユーザについての前記行動情報とに基づいて、前記第１のユーザと前記他のユーザとの関連度を算出する関連度算出部と、
前記第１のユーザから前記他のユーザに対する前記行動情報の取得要求を受け付ける取得要求受付部と、
前記取得要求を受け付けた際の前記第１のユーザの行動情報に基づいて、前記第１のユーザから前記他のユーザに要求する情報を決定する要求情報決定部と、
前記第１のユーザから前記他のユーザに対して前記行動情報を要求する情報要求部であって、前記決定した行動情報を前記算出した関連度に応じて要求する情報要求部と、
前記要求に応じて取得した前記他のユーザの行動情報を前記第１のユーザに提示する情報提示部と、
前記取得要求を受け付けた際の前記第１のユーザの行動情報と前記他のユーザに要求する行動情報との関係があらかじめ記憶された関係記憶部と、
を備え、
前記要求情報決定部は、前記記憶された関係を参照して前記他のユーザに要求する行動情報を決定する情報提示装置。
【請求項１１】
前記他のユーザからの情報取得要求に応じて前記第１のユーザの行動情報を前記他のユーザに提示する情報送信部をさらに含む、請求項１０に記載の情報提示装置。
【請求項１２】
前記情報送信部は、前記第１のユーザに提示した前記他のユーザの行動情報に対応する前記第１のユーザの行動情報を前記他のユーザに提示する請求項１１に記載の情報提示装置。
【発明の詳細な説明】
【技術分野】
【０００１】
本発明は情報提示方法、情報提示プログラム、及び情報提示装置に関し、特にユーザに対し他のユーザの行動情報を提示する情報提示方法、情報提示プログラム、及び情報提示装置に関する。
【背景技術】
【０００２】
スマートフォンやタブレット端末等の携帯端末では時間情報、位置情報、及び画像等各種の情報を取得でき、また近年ではユーザの身体に装着するウェアラブル端末によりユーザの生体情報を取得することが可能である。そして、このような端末機器で取得した情報を複数のユーザ間で共有することが知られている。例えば特許文献１には、各種センサによりユーザの行動を感知して行動パラメータを算出し、ユーザの状態に応じたオブジェクトを表示すること、及び電話回数や通話時間に応じてユーザ同士の親密度を算出することが記載されている。また特許文献２には、他のユーザが撮影した写真を要求元のユーザに送信すること、及び写真選択の判断要素として親密度等の情報を用いることが記載されている。
【先行技術文献】
【特許文献】
【０００３】
【特許文献１】特開２０１０−１３４８０２号公報
【特許文献２】特開２００９−１８７２３３号公報
【発明の概要】
【発明が解決しようとする課題】
【０００４】
ユーザ間で情報を共有する場合、ユーザを限定せず不特定多数のユーザ間で情報を共有すると共有する情報量が膨大になってしまい、一方ユーザが情報共有相手として登録したユーザとの間のみで情報を共有すると、共有される情報が限定されてしまう。また単に共有するだけの情報はユーザにとって価値が低いため、ユーザの行動や嗜好等、ユーザにとって価値がある情報を共有することが好ましい。
【０００５】
このような問題に関し、特許文献１ではユーザ同士の親密度は画面上のオブジェクト配置に用いられており、情報の共有に活かされていなかった。特許文献２では、ユーザ自身が親密度を申告するため親密度の申告に手間を要し、またこれにより情報を共有するユーザの範囲が親しい人や直接知っている人に限定されてしまうため、面識はないが行動や嗜好が共通する人との間での情報共有が困難であった。このように、従来の技術はユーザが有益な情報を容易に共有できるものではなかった。
【０００６】
本発明はこのような事情に鑑みてなされたもので、ユーザが有益な情報を容易に共有できる情報提示方法、情報提示プログラム、及び情報提示装置を提供することを目的とする。
【課題を解決するための手段】
【０００７】
上述した目的を達成するため、本発明の第１の態様に係る情報提示方法は、ユーザの行動情報を取得する行動情報取得工程と、第１のユーザについての行動情報と他のユーザについての行動情報とに基づいて、第１のユーザと他のユーザとの関連度を算出する関連度算出工程と、第１のユーザから他のユーザに対する行動情報の取得要求を受け付ける取得要求受付工程と、取得要求を受け付けた際の第１のユーザの行動情報に基づいて、第１のユーザから他のユーザに要求する情報を決定する要求情報決定工程と、第１のユーザから他のユーザに対して行動情報を要求する情報要求工程であって、決定した行動情報を算出した関連度に応じて要求する情報要求工程と、要求に応じて取得した他のユーザの行動情報を第１のユーザに提示する情報提示工程と、を含む。
【０００８】
第１の態様に係る情報提示方法では、行動情報に基づいて関連度が算出されるのでユーザ自身が関連度を設定する手間を省くことができ、また行動情報の要求がこの関連度に応じて行われるので、情報を共有する相手が親しい人や直接知っている人に限定されることがなく、面識はないが行動や嗜好が共通する人との間でも情報を共有することができる。これにより、第１の態様に係る情報提示方法では、ユーザは有益な情報を容易に共有することができる。
【０００９】
なお、第１の態様において「取得要求を受け付けた『際の』第１のユーザの行動情報」には、取得要求を受け付けるタイミングと第１のユーザの行動情報を取得するタイミングとが完全に一致していない場合をも含むものとする。すなわち、取得要求を受け付けるタイミングと第１のユーザの行動情報を取得するタイミングとが、行動情報の内容に影響がない範囲（行動情報の時間変化が、情報の性質上許容できる範囲）でずれていてもよい。
【００１０】
なお、第１の態様において「関連度に応じて要求する」とは、行動情報の関連度が高いユーザを優先して情報を要求することを含む。また第１の態様において、「第１のユーザ」及び「他のユーザ」はいずれのユーザであってもよく、同一のユーザが情報の要求元にも提供元にもなることができる。
【００１１】
また、第１の態様に係る情報提示方法の各工程は、ユーザ端末とサーバとがネットワークを介して接続された情報提示装置（システム）において、サーバ及び／またはユーザ端末が実行してよい。サーバまたはユーザ端末の一方が全工程を実施してもよいし、それぞれが一部の工程を行い全体として全工程を実行してもよい。
【００１２】
第２の態様に係る情報提示方法は第１の態様において、要求情報決定工程では、あらかじめ記憶された、取得要求を受け付けた際の第１のユーザの行動情報と他のユーザに要求する行動情報との関係を参照して他のユーザに要求する行動情報を決定する。第２の態様は、他のユーザに要求する行動情報をどのようにして決定するかを規定するものである。
【００１３】
第３の態様に係る情報提示方法は第１または第２の態様において、関連度算出工程では行動情報の共通度に応じて関連度を算出する。例えば、行動情報の共通度が高いほど関連度を高く算出することができる。
【００１４】
第４の態様に係る情報提示方法は第１から第３の態様のいずれか１つにおいて、関連度算出工程では、行動情報に含まれる情報のうちの特定の情報の共通度に対する重み付けを他の情報の共通度に対する重み付けよりも高くして関連度を算出する。これにより、関連度を適切に算出することができる。
【００１５】
第５の態様に係る情報提示方法は第１から第４の態様のいずれか１つにおいて、他のユーザからの情報取得要求に応じて第１のユーザの行動情報を他のユーザに提示する情報送信工程をさらに含む。第５の態様は、第１のユーザの行動情報が他のユーザに提示されること、即ちユーザ間で行動情報が双方向に共有されることをさらに明確化したものである。
【００１６】
第６の態様に係る情報提示方法は第５の態様において、情報送信工程では、第１のユーザに提示した他のユーザの行動情報に対応する第１のユーザの行動情報を他のユーザに提示する。第６の態様は第１のユーザに提示した行動情報と他のユーザに提示する行動情報との関係を示すもので、「他のユーザの行動情報に対応する第１のユーザの行動情報を（他のユーザに）提示する」には、第１のユーザに提示した行動情報と同じ期間についての第１ユーザの行動情報を他のユーザに提示すること、及び第１のユーザに提示した（他のユーザの）行動情報と種類または分類が同じであるか関連している行動情報を他のユーザに提示することを含む。
【００１７】
第７の態様に係る情報提示方法は第１から第６の態様のいずれか１つにおいて、行動情報は、ユーザの時間情報、位置情報、生体情報、及び撮影情報のうちの２つ以上の情報であって、一の情報が他の情報に対応して取得された情報である第１の情報を含む。第７の態様は行動情報の具体的内容を示しており、「対応して」とは、「ある時刻と、その時刻における位置」のように、行動情報が取得された条件に関連があることを示す。
【００１８】
第８の態様に係る情報提示方法は第１から第７の態様のいずれか１つにおいて、要求情報決定工程では、ユーザの時間情報、位置情報、及び生体情報のうちの２つ以上の情報であって、一の情報が他の情報に対応して取得された情報である第２の情報により他のユーザに要求する情報を決定する。
【００１９】
第９の態様に係る情報提示方法は第１から第８の態様のいずれか１つにおいて、情報提示工程では、ユーザの時間情報と、位置情報と、生体情報と、撮影情報と、のうちから選択した複数の情報を関連づけて提示する。第９の態様によれば、ユーザは行動情報の関連性を容易に把握することができる。なお「複数の情報を関連づけて提示する」の例としては「ある時刻（時間情報）と、その時刻における位置（位置情報）を提示する」や「ある場所（位置情報）における生体情報を提示する」を挙げることができるが、情報を関連づけて提示する態様はこれらに限定されるものではない。
【００２０】
上述した目的を達成するため、本発明の第１０の態様に係る情報提示プログラムは、第１から第９の態様のいずれか１つに係る情報提示方法を情報提示装置に実行させる。第１０の態様に係る情報提示プログラムによれば、第１の態様と同様に、ユーザは有益な情報を容易に共有することができる。
【００２１】
なお、第１０の態様に係る情報提示プログラムのコンピュータ読み取り可能なコードを記録した非一時的記録媒体も、本発明の一態様として挙げることができる。そのような非一時的記録媒体の例としてはＣＤ（Compact Disk）やＤＶＤ（Digital Versatile Disk）等の光ディスク、ＨＤ（Hard Disk）等の磁気記録装置、及び各種の半導体記録媒体を挙げることができるが、これらに限定されるものではない。
【００２２】
上述した目的を達成するため、本発明の第１１の態様に係る情報提示装置は、ユーザの行動情報を取得する行動情報取得部と、第１のユーザについての行動情報と他のユーザについての行動情報とに基づいて、第１のユーザと他のユーザとの関連度を算出する関連度算出部と、第１のユーザから他のユーザに対する行動情報の取得要求を受け付ける取得要求受付部と、取得要求を受け付けた際の第１のユーザの行動情報に基づいて、第１のユーザから他のユーザに要求する情報を決定する要求情報決定部と、第１のユーザから他のユーザに対して行動情報を要求する情報要求部であって、決定した行動情報を算出した関連度に応じて要求する情報要求部と、要求に応じて取得した他のユーザの行動情報を第１のユーザに提示する情報提示部と、を備える。第１１の態様に係る情報提示装置によれば、第１の態様と同様に、ユーザは有益な情報を容易に共有することができる。
【００２３】
第１２の態様に係る情報提示装置は第１１の態様において、取得要求を受け付けた際の第１のユーザの行動情報と他のユーザに要求する行動情報との関係があらかじめ記憶された関係記憶部をさらに備え、要求情報決定部は、記憶された関係を参照して他のユーザに要求する行動情報を決定する。第１２の態様は、第２の態様と同様に他のユーザに要求する行動情報をどのようにして決定するかを規定するものである。
【００２４】
第１３の態様に係る情報提示装置は第１１または第１２の態様において、他のユーザからの情報取得要求に応じて第１のユーザの行動情報を他のユーザに提示する情報送信部をさらに含む。第１３の態様は、第５の態様と同様にユーザ間で行動情報が双方向に共有されることをさらに明確化したものである。
【００２５】
第１４の態様に係る情報提示装置は第１３の態様において、情報送信部は、第１のユーザに提示した他のユーザの行動情報に対応する第１のユーザの行動情報を他のユーザに提示する。第１４の態様は、第６の態様と同様に第１のユーザに提示した行動情報と他のユーザに提示する行動情報との関係を示すものである。
【発明の効果】
【００２６】
以上説明したように、本発明の情報提示方法、情報提示プログラム、及び情報提示装置によれば、ユーザは有益な情報を容易に共有することができる。
【図面の簡単な説明】
【００２７】
【図１】図１は、本発明の一実施形態に係る情報提示システムの構成を示す図である。
【図２】図２は、サーバの構成を示す図である。
【図３】図３は、ユーザ端末の構成を示す図である。
【図４】図４は、情報提示方法の処理手順を示すフロー図である。
【図５】図５は、情報提示方法の処理手順を示すフロー図（図４の続き）である。
【図６】図６は、行動情報に基づくユーザの分類とそのような分類に対する関連度の例を示す表である。
【図７】図７は、取得要求を受け付けるタイミングとユーザの行動情報を取得するタイミングとの関係を説明するための図である。
【図８】図８は、ユーザの行動情報の例を示す表である。
【図９】図９は、行動パターン及び登録情報を示す表である。
【図１０】図１０は、ユーザ同士の関連度を示す表である。
【図１１】図１１は、施設情報を示す表である。
【図１２】図１２は、ユーザのモードと取得要求情報との関係を示す表である。
【図１３】図１３は、ユーザの行動情報の他の例を示す表である。
【図１４】図１４は、ユーザに提示される情報の例を示す図である。
【図１５】図１５は、ユーザに提示される情報の他の例を示す図である。
【図１６】図１６は、ユーザに提示される画像の例を示す図である。
【図１７】図１７は、ユーザに提示される画像の他の例を示す図である。
【図１８】図１８は、ユーザに提示される情報のさらに他の例を示す図である。
【図１９】図１９は、ユーザに提示される情報のさらに他の例を示す図である。
【発明を実施するための形態】
【００２８】
以下、添付図面を参照しつつ、本発明に係る情報提示方法、情報提示プログラム、及び情報提示装置の実施形態について説明する。
【００２９】
＜システム構成＞
図１は、本発明の一の実施形態に係る情報提示システム１０（情報提示装置、行動情報取得部、関連度算出部、取得要求受付部、要求情報決定部、情報要求部、情報提示部、情報送信部）の構成を示す図である。情報提示システム１０は、多数のユーザ端末がネットワーク２００を介してサーバ１００と接続されて構成されている。サーバ１００はサービス提供者によって設けられる。ネットワーク２００はインターネットなどの汎用ネットワークでもよいし、情報提示システム１０の専用ネットワークでもよい。また携帯電話やスマートフォン用のネットワークを用いてもよい。
【００３０】
ユーザ端末３０２，３０４，３０６，及び３０８（行動情報取得部、情報提示部、情報送信部）は、例えば端末本体と、手首装着部と、頭部装着部と、を含む携帯端末であり（図３参照）、行動情報の取得や提示に用いられる。なお図１では便宜上４台のユーザ端末を示しているが、実際は情報提示システム１０を利用するユーザ端末は多数存在していてよい。
【００３１】
＜サーバの構成＞
図２に、サーバ１００の構成を示す。本実施形態において、サーバ１００は通信部１０２、制御部１０４、処理部１０６、行動情報記憶部１０８、施設情報記憶部１０９、及び関係記憶部１１０（関係記憶部）を備える。行動情報記憶部１０８は各ユーザ端末から取得した行動情報を記憶し、施設情報記憶部１０９は各種施設の位置と施設名称、分類等の情報を記憶する（図１１参照）。関係記憶部１１０は、ユーザの状況と他のユーザに要求する行動情報との関係（図１２参照）を記憶する。通信部１０２は上述したネットワーク２００に接続して各ユーザ端末との間で情報を送受信し、制御部１０４はサーバ１００全体を制御し、処理部１０６は制御部１０４の制御によって行動情報記憶部１０８及び関係記憶部１１０への入出力を行うと共に、これらの記憶部に記憶された情報を用いてユーザの行動パターンの分析、関連度の算出、関連ユーザの抽出、行動情報の取得及び提示等の処理を行う。
【００３２】
上述したサーバ１００の各部は、制御部１０４に含まれるＣＰＵ（Central Processing Unit）１０４Ａ，ＲＯＭ（Read Only Memory）１０４Ｂ，及びＲＡＭ（Random Access Memory）１０４Ｃの他、各種信号処理回路等のデバイスによって構成される。ＲＯＭ１０４Ｂは、本実施形態に係る情報提示プログラムのコンピュータ読み取り可能なコードを記録する非一時的記録媒体の一例である。またサーバの各部のうち行動情報記憶部１０８、施設情報記憶部１０９、及び関係記憶部１１０は、ＨＤ（Hard Disk）や各種半導体メモリ等の記憶デバイスを含んで構成される。
【００３３】
＜ユーザ端末の構成＞
図３に、ユーザ端末の一例であるユーザ端末３００の構成を示す。ユーザ端末３００は、端末本体３１０と、手首装着部３１６と、頭部装着部３１２とから構成される。端末本体３１０はユーザの操作や行動情報の表示に用いられる他、手首装着部３１６及び頭部装着部３１２から近距離無線通信により生体情報を取得してネットワーク２００経由でサーバ１００に送信する。
【００３４】
＜端末本体＞
端末本体３１０は例えばスマートフォン型の携帯端末として構成することができ、ＣＰＵ（Central Processing Unit）３２１、ＲＯＭ（Read Only Memory）３２３、及びＲＡＭ（Random Access Memory）３２４を有する制御部３２５を備える。ＲＯＭ３２３（非一時的記録媒体）には、本実施形態に係る情報提示方法を実行するための情報提示プログラムのコンピュータ読み取り可能なコード及び各種データが格納される。ＲＡＭ３２４は、これらプログラム及びデータの一時的作業領域として使用される。なお、端末本体３１０の各要素はバス３２２を介して互いに接続される。
【００３５】
記憶装置部３２７は、端末本体３１０に着脱可能なカード型の記録媒体や半導体メモリを含んで構成され、ユーザはこれらデバイスを介して撮影画像等の行動情報の読み込み及び書き込みを行うことができる。操作部３２８は各種ボタン（キー）やダイヤルなどにより構成され、ユーザは操作部３２８を介して行動情報の入力及び登録等の操作を行うことができる。なおディスプレイ３３５をタッチパネルにより構成し、このタッチパネルを介してユーザの操作を受け付けるようにしてもよい。
【００３６】
マイクロフォン３３１及びスピーカ３３３は、音声処理部３３４を介した音声通話、音楽再生等に用いられる。音声処理部３３４は、マイクロフォン３３１及びスピーカ３３３に入出力される信号に関し、アナログ音声信号とデジタル音声信号との変換、圧縮処理、及び伸張処理を行うものである。
【００３７】
画像処理部３３６にはディスプレイ３３５が接続される。ディスプレイ３３５は液晶ディスプレイや有機ＥＬ（electroluminescence）ディスプレイ等のデバイスにより構成され、画像処理部３３６は、ディスプレイ３３５上に表示される画像や画面のデータを処理し、ディスプレイ駆動用アナログ信号に変換する。無線通信部３３７にはアンテナ３３８が接続され、音声通話の際やネットワーク２００を介してサーバ１００と接続する際に用いられる。また、画像処理部３４２には撮像部３４１が接続される。撮像部３４１は図示せぬ撮像レンズ及びＣＣＤ（Charge Coupled Device）撮像素子やＣＭＯＳ（Complementary Metal-Oxide Semiconductor）撮像素子などの固体撮像素子を備え、ユーザはこれら撮像部３４１及び画像処理部３４２により所望の被写体の画像を撮像することができる。位置計測部３４３はＧＰＳ（Global Positioning System）による測位機能（緯度、経度、高度等）を有し、ＧＰＳ衛星からの信号電波を受信するアンテナ３４４が接続される。
【００３８】
なお、後述するユーザ１〜ユーザ４のユーザ端末３０２，３０４，３０６，及び３０８についても、上述したユーザ端末３００と同様の構成を採用することができる。なお以下の説明でユーザ端末３０２，３０４，３０６，及び３０８の構成要素に言及する場合、ユーザ端末３００の構成要素に付された参照符号（図３参照）を引用する。
【００３９】
＜手首装着部及び頭部装着部＞
手首装着部３１６は例えばユーザの手首に装着される時計型の端末として構成され、ユーザの脈拍のデータを取得してアンテナ３１８を介した近距離無線通信により端末本体３１０に送信する。頭部装着部３１２はユーザの頭部に装着される例えばヘアバンド型、眼鏡型、帽子型、あるいはヘッドフォン型の端末として構成することができ、ユーザの脳波のデータを取得してアンテナ３１４を介した近距離無線通信により端末本体３１０に送信する。
【００４０】
＜情報提示処理＞
次に、本実施形態に係る情報提示システム１０における情報提示方法（情報提示プログラム）の処理手順について説明する。まず、図４及び図５を参照して情報提示方法（情報提示プログラム）の処理手順の概要を説明する。この処理手順を具体的な状況に適用した例（ケース１〜３）については後述する。なお図４，５の例では便宜上２人のユーザがいる場合の処理を示しているが、本発明においてユーザの数は限定されるものではない。
【００４１】
まず、サーバ１００はユーザ１（図１のユーザ端末３０２とする：第１のユーザ）及びユーザ２（ユーザ端末３０４とする：他のユーザ）の行動情報を取得し、行動情報記憶部１０８に記憶する（ステップＳ１００，Ｓ１０２：行動情報取得工程）。行動情報を取得する期間は特に限定されないが、日常及び非日常の行動パターンを分析するためには、ある程度の期間（例えば１ヶ月以上）で行動情報を取得することが好ましい。また、行動情報は定期的に取得し、蓄積及び更新することが好ましい。サーバ１００は、取得した行動情報からユーザ同士の関連度を算出する（ステップＳ１０４：関連度算出工程）。
【００４２】
＜行動情報及び関連度＞
ここで、ユーザの行動情報及び行動情報に基づくユーザ同士の関連度について説明する。行動情報はユーザの行動に伴って取得される情報の総称であり、例えば時間情報、位置情報、生体情報、登録情報、及び撮影情報を挙げることができる。時間情報は例えば特定の時刻あるいは時間帯、またはそれらの集合である。位置情報としては緯度、経度、高度の他、地名、地域名、国名、施設名、店舗名などを挙げることができる。生体情報としては脈拍、脳波、血圧、発汗などを挙げることができる。登録情報は住所、氏名、年齢、職業、家族構成、趣味などについてユーザが登録した情報である。撮影情報は、ユーザがユーザ端末あるいはその他の撮像装置で撮影した画像、メールやＳＮＳ（Social Networking Service）で送信または投稿した画像である。これらの行動情報は、上述した時間情報、位置情報、生体情報、登録情報、及び撮影情報のうちの２つ以上の情報を、互いに対応して取得した情報（第１の情報）であることが好ましい。ここで「対応して」とは、「ある時刻と、その時刻における位置」のように、行動情報が取得された条件に関連があることを示す。
【００４３】
詳細を後述するように、本実施形態では、これらの行動情報に基づいてユーザの行動パターンを分析し、またユーザ同士で行動情報を共有する。
【００４４】
なお上述した情報は行動情報の一例であり、他の情報を含んでいてもよい。また、上述した行動情報の全てではなく一部の情報を用いてもよい。
【００４５】
図６は行動情報に基づくユーザの分類と、分類結果に対応する関連度の例を示す表である。図６の例では関連度が１（最も低い）から３（最も高い）までの３段階に分かれており、それぞれ「関連する他人」、「友人または知人」、「家族」に分類されている。これら分類の基準は、それぞれ「性別や趣味が近い」、「日常及び非日常の行動パターンが重複している」、及び「自宅が同じである」ことを挙げることができ、図６に示すように行動情報（本実施形態では時間情報、位置情報、生体情報、及び登録情報）に基づいて分類を判断することができる。本実施形態では、サーバ１００がユーザの行動情報を分析し、図６のような関係を参照することによりユーザ同士の関連度を算出する（図４，５のステップＳ１０４：関連度算出工程）。
【００４６】
図４，５に戻り、情報提示方法の処理手順を説明する。ユーザ端末３０２（ユーザ１）は、サーバ１００に対し他のユーザの行動情報の取得要求を送信し（ステップＳ１０６）、サーバ１００はこの取得要求を受け付ける（ステップＳ１０８：取得要求受付工程）。ユーザ端末３０２からの取得要求の送信はユーザ１によるユーザ端末３０２の操作に応じて行ってもよいし、あらかじめ設定した時間間隔で行ってもよい。また、ユーザ１の行動情報がある条件を満たした場合（例えば、後述する「モード」のいずれかに該当した場合）に自動的に送信してもよい。
【００４７】
ステップＳ１０８で取得要求を受け付けると、サーバ１００は、取得要求を受け付けた際のユーザ１の行動情報に基づいて、他のユーザに対しどのような行動情報を要求するかを決定する（ステップＳ１１０：要求情報決定工程）。ステップＳ１１０の処理は、関係記憶部１１０（図２参照）に予め記憶された、取得要求を受け付けた際のユーザ１の「モード」（ユーザ１の状況、即ち「現在」の行動）と、他のユーザに要求する行動情報と、の関係（図１２参照）を参照して行うことができる。
【００４８】
なお、本実施形態において「取得要求を受け付けた『際の』ユーザ１の行動情報」には、取得要求を受け付けたタイミングとユーザ１の行動情報を取得するタイミングとが完全に一致していない場合をも含むものとする。すなわち、取得要求を受け付けるタイミングとユーザ１の行動情報を取得するタイミングとが、行動情報の内容に影響がない範囲（行動情報の時間変化が、情報の性質上許容できる範囲）でずれていてもよい。具体的には、図７に示すように、取得要求を受け付けたタイミングが時刻ｔｊであった場合、時刻ｔｊより過去の時刻ｔｊ−１における行動情報に基づいて決定してもよいし、時刻ｔｊより未来の時刻ｔｊ＋１における行動情報に基づいて決定してもよい。なお、ユーザ１に提示する行動情報を決定するに際して時刻ｔｊより未来の時刻ｔｊ＋１における行動情報に基づいて決定する場合、ユーザ端末３０２は取得要求後に行動情報を取得してサーバ１００に送信する（図４，５のステップＳ１０７）。
【００４９】
次に、サーバ１００は、いずれのユーザについての行動情報をユーザ１に提示するかを決定する（ステップＳ１１２：ユーザ決定工程）。いずれのユーザについての行動情報を提示するかは、図１０に示す関係及びステップＳ１０４で算出した関連度（図６参照）に基づいて決定することができる。図４，５では便宜上ユーザ２の行動情報をユーザ１に提示するものとして説明し、具体的な例は後述する（ケース１〜３を参照）。
【００５０】
ステップＳ１１２までの処理でどのような行動情報をいずれのユーザに要求するかが決定したら、サーバ１００は上述のようにして算出した関連度に応じてユーザ２のユーザ端末３０４に情報を要求し（ステップＳ１１３Ａ：情報要求工程）、要求に応じてユーザ端末３０４から送信（ステップＳ１１３Ｂ）された情報を取得する。なおユーザ２の行動情報を取得してユーザ１に提示する場合に、ユーザ１からの取得要求を受け付けた時点（ステップＳ１０８）で既に取得されていたユーザ２の行動情報があるときは、サーバ１００はそのような取得済みの行動情報を提示してもよい。例えば、情報提示システムにおいて各ユーザの行動情報を連続的に、または一定の時間間隔で取得している場合、ユーザ１からの取得要求を受け付けた時点で既に取得されていた行動情報を提示してもよい。本実施形態では、ステップＳ１１３Ａ及びＳ１１３Ｂにより取得した行動情報を提示する場合に加えて、このような既に取得されていた行動情報を提示する場合も、「他のユーザに対して行動情報を要求し、この要求に応じて取得した行動情報を提示する」に含むものとする。
【００５１】
ステップＳ１１３Ｂまでの処理でユーザ２の行動情報を取得したら、サーバ１００は決定した行動情報をユーザ１のユーザ端末３０２に送信し（ステップＳ１１４：情報提示工程）、ユーザ端末３０２は受信した行動情報をディスプレイ３３５に表示する（ステップＳ１１６：情報提示工程）。ステップＳ１１４及びＳ１１６の情報提示工程では、ユーザ２の時間情報と、位置情報と、生体情報と、撮影情報と、のうちから選択した複数の情報を関連づけて提示（表示）する。「複数の情報を関連づけて提示する」の例としては「ある時刻（時間情報）と、その時刻における位置（位置情報）」や「ある場所（位置情報）における生体情報」を挙げることができる。このような情報提示の具体的態様については、後述する（ケース１〜３を参照）。なお情報の提示はディスプレイ３３５に表示するのではなく、スピーカ３３３から音声出力するのでもよい。
【００５２】
＜他のユーザへの情報提示＞
一方、ユーザ２からの行動情報取得要求（ステップＳ１１８）があった場合は、ユーザ１からの要求に対する処理（ステップＳ１０６〜Ｓ１１６）と同様に、取得要求受付（ステップＳ１１９：取得要求受付工程）、要求情報決定（ステップＳ１２０：要求情報決定工程）、及びユーザ決定（ステップＳ１２０Ａ：ユーザ決定工程）を経てどのような行動情報をいずれのユーザに要求するかを決定し、ユーザ端末３０２に情報を要求して（ステップＳ１１３Ａ：情報要求工程）、要求に応じてユーザ端末３０２が送信（ステップＳ１１３Ｂ：情報送信工程）した行動情報を取得してユーザ端末３０４に送信（ステップＳ１２２：情報提示工程）し、ユーザ端末３０４は受信した行動情報を表示する（ステップＳ１２４：情報提示工程）。この際、ユーザ１について上述したのと同様に、ユーザ２からの取得要求を受け付けた時点（ステップＳ１１９）で既に取得されていたユーザ１の行動情報があるときは、サーバ１００はそのような取得済みの行動情報をユーザ端末３０４に提示してもよい。なお、この場合関連度はステップＳ１０４（関連度算出工程）で算出したものを用いればよい。
【００５３】
このようにして、本実施形態に係る情報提示システム１０ではユーザは行動情報を互いに（双方向に）共有することができる。なお、図４，５では便宜上ユーザ１からの行動情報取得要求及びその処理（ステップＳ１０６〜Ｓ１１６）をユーザ２からの行動情報取得要求及びその処理（ステップＳ１１８〜Ｓ１２４）よりも先に記載したが、いずれのユーザからの要求が先であってもよい。
【００５４】
＜情報提示の具体的態様＞
次に、上述した構成及び処理手順に基づく情報提示の具体的態様について説明する。
【００５５】
＜ケース１＞
ケース１において、ユーザ１（第１のユーザ）はユーザ端末３０２により図８に示すように行動情報を取得しているものとする。具体的には、位置情報（北緯、東経）、生体情報（脈拍、脳波）、及び撮影情報（画像）が１時間ごとに取得され、ネットワーク２００を介してサーバ１００に送信される。即ち、位置情報、生体情報、及び撮影情報は時間情報に対応して取得されている（ただし、図８の例では画像は取得されていない）。サーバ１００に送信された行動情報は、行動情報記憶部１０８に記憶される。ケース１及び後述するケース２，３においては、他のユーザ（図９，１０に示すユーザ２〜４）についても同様に行動情報を取得しているものとする。なお、図８の最右欄における「モード」については後述する。
【００５６】
サーバ１００は、図８の例に示すような行動情報をある程度長期間（例えば１ヶ月以上）に亘って取得し（行動情報取得工程）、各ユーザの行動パターンを分析する。本ケースでは、その結果ユーザ１〜４の行動パターンが図９のように分析されたものとする。またユーザ１〜４は、各自のユーザ端末（図１に示すユーザ端末３０２，３０４，３０６，及び３０８）により、上述した位置情報、生体情報、及び撮影情報以外に自宅や職場の場所を行動情報として登録（登録情報）しているものとする。
【００５７】
サーバ１００は、図９に示すような各ユーザの行動パターン（行動情報）の共通度に応じて、図６に示す関係を参照してユーザ同士の関連度を算出する（関連度算出工程）。この際、特定の情報（例えば、自宅位置や家族関係に関する登録情報）の共通度に対する重み付けを他の情報の共通度に対する重み付けよりも高くしてもよい。このようにして算出した、ケース１におけるユーザ同士の関連度を図１０に示す。このように、ユーザの行動情報の共通度に応じてユーザ同士の関連度を算出することで、ユーザは自ら関連度を申告する手間を省くことができ、行動情報を容易に共有することができる。
【００５８】
サーバ１００は、ユーザから取得した行動情報以外に、図１１に示すような施設情報（各種施設の位置、名称、及び分類）を施設情報記憶部１０９に記憶している。サーバ１００は、この施設情報をユーザ端末から取得した位置情報と対比することにより、ユーザがどのような施設（野球場、美術館等）にいるかを把握することができる。
【００５９】
次に、ユーザに提示する他のユーザの行動情報をどのように決定するか、について説明する。この処理は、図１２に示すような、ユーザの行動情報と他のユーザに取得を要求する情報との関係を参照して行われる（要求情報決定工程）。この関係はサーバ１００の関係記憶部１１０に記憶しておくことができる。
【００６０】
図１２では、ユーザの「モード」として３つの例を挙げている。これらのモードは、情報取得要求（図４，５のステップＳ１０６）を受け付けた（ステップＳ１０８）際のユーザの行動情報（時間情報、位置情報、及び生体情報）により規定される。これらの情報は、「ある時刻と、その時刻における位置及び生体情報」や「ある場所における生体情報」のように互いに対応して取得された複数の情報（第２の情報）である。例えば「リラックスモード」は夜間に自宅でリラックスしている状況を示すモードである。「夜間に」（時間情報）は例えば21時以降とすることができ、「自宅」（位置情報）であることはユーザの位置情報及び登録情報（自宅の場所；図９参照）に基づいて判断できる。また「リラックスしている」（生体情報）かどうかの基準は、例えば「脈拍が80拍／分以下で、脳波はα波（8〜13Hz）」とすることができる。
【００６１】
なおケース１において、図１２に示す「ユーザの行動情報と他のユーザに取得を要求する情報との関係」を適切に設定することで、ユーザ同士のプライバシーを守りつつ、有益な情報を共有することが可能になる。例えば、他のユーザに知られたくない情報については取得及び提示しないようにしたり、取得及び提示を行う場合でも内容や精度を限定した上で行ったりすることができる。また、ユーザ同士の関連度を考慮してこのような条件を設定してもよい。例えば、家族や仲の良い友人に対しては広範囲の情報を精度良く提示して、他人に対しては限定された範囲の情報を低い精度で提示することができる。情報の精度を低くする場合、情報を取得及び提示する時間間隔を広げてもよいし、位置情報や生体情報の値そのものを大まかな値にしてもよい。
【００６２】
上述した「リラックスモード」の場合、情報取得を要求したユーザに対し、他のユーザに対し「その日の移動経路、感情（脈拍、脳波）、撮影画像」を要求して、取得した情報を提示する。情報を取得する期間はその日１日、地理的範囲はその日の移動経路内、要求対象のユーザは「家族」、または「友人または知人」である。要求対象ユーザは関連度２以上であり、関連度の異なるユーザが複数（例えば、関連度２のユーザと関連度３のユーザ）いる場合、関連度の高いユーザに対し優先的に行動情報を要求してもよい。なお、例えばユーザが画像を撮影していない場合（例えば図８に示すユーザ１の場合）や取得を拒否あるいは制限している場合は、行動情報を要求しても取得されないことがある。
【００６３】
「リラックスモード」以外の「ライブイベントモード」、「芸術鑑賞モード」については詳細な説明を省略するが、「リラックスモード」と同様に規定することができる。これらのモードにおける具体例は、ケース２，３で説明する。なお図１２はモードの分類及び判断基準等についての一例を示すものであり、図１２のモード以外に他のモードを設定してもよいし、図１２と異なる基準でモードを判断してもよい。また、行動情報の取得要求範囲を図１２と異なるものにしてもよい。
【００６４】
ケース１では、ユーザ１の行動情報が図８の通りであり、ユーザ端末３０２により、23:00に行動情報取得要求（図４のステップＳ１０６を参照）を送信したものとする。この場合、図１２に示す関係を参照すると、ユーザ１は「リラックスモード」であり、関連度２以上のユーザに対して「その日の移動経路、感情（脈拍、脳波）、及び撮影画像」を要求する（要求情報決定工程）。ケース１におけるユーザ同士の関連度は図１０の通りなので、「関連度２以上のユーザ」はユーザ２（ユーザ１の友人または知人：他のユーザ）だけであり、ユーザ２の行動情報を取得して（情報要求工程）ユーザ１に提示する（情報提示工程）。なお、ユーザ２のその日の行動情報は図１３の通りであったものとする。
【００６５】
上述した状況のケース１における情報提示の例について説明する。図１４はユーザ１に対する情報提示の例を示す図であり、ユーザ２のその日の移動経路が地図上の点線（自宅を示す点Ｌ４から職場を示す点Ｌ５、点Ｌ５からＨ野球場を示す点Ｌ３、点Ｌ３から点Ｌ４）で示されている。この点線は、ユーザ２の時間情報と位置情報とを関連づけて提示するものである。また、点Ｌ３には、Ｈ野球場でのユーザ２の感情（喜び；生体情報）を示すマークＭ２が示されている。このマークＭ２は、ユーザ２の位置情報と生体情報とを関連づけて提示するものである。なおユーザ２の感情は、ユーザ端末３０４が備える手首装着部及び頭部装着部（図３参照）で取得した脈拍及び脳波により推定する。
【００６６】
図１４の例では、このようなユーザ２の行動情報に対応するユーザ１の行動情報も表示されている。具体的には、ユーザ１のその日の移動経路が地図上の実線（自宅を示す点Ｌ１から職場を示す点Ｌ２、点Ｌ２からＨ野球場を示す点Ｌ３、点Ｌ３から点Ｌ１）で示されている。この点線は、ユーザ１の時間情報と位置情報とを関連づけて提示するものである。また、点Ｌ３には、Ｈ野球場でのユーザ１の感情（喜び；生体情報）を示すマークＭ１が示されている。このマークＭ１は、ユーザ１の位置情報と生体情報とを関連づけて提示するものである。
【００６７】
図１４のように提示される行動情報はユーザ１のユーザ端末３０２及びユーザ２のユーザ端末３０４に表示され（情報送信工程、情報提示工程）、ユーザ１とユーザ２との間で行動情報を双方向に共有することができる。ユーザ１のモードに応じて行動情報が取得及び提示されるので、ユーザ１，２は容易に情報を共有することができる。
【００６８】
図１５は情報提示の他の例を示す図である。図１４では、ユーザ１及びユーザ２の感情（生体情報）の時間変化がそれぞれ実線、点線で示されている。即ち、ユーザ１及びユーザ２について、生体情報が時間情報に関連づけて提示されている。また図１５は、ユーザ１及び２の感情がＨ野球場での試合展開につれて変化し、試合終盤（21時頃）に喜びのピークに達した場合の例を示している。なお図１５の例において、ユーザ１，２の感情は、図１５の例と同様に、ユーザ端末３０２，３０４が備える手首装着部及び頭部装着部（図３参照）で取得した脈拍及び脳波に基づいて、喜んでいる（図１５の上方向）か怒っている（図１５の下方向）かを判断する。
【００６９】
図１５中、18時及び21時に表示されたカメラのマークＰ１及びＰ２は、その時刻にユーザ２が撮影した画像ｉ１及びｉ２が存在することを示す。ユーザ１またはユーザ２がそれぞれのユーザ端末３０２，３０４上でこれらのマークＰ１，Ｐ２を指定（ボタンで選択、タッチパネルをタップ等）すると、図１６，１７に示すように画像ｉ１，ｉ２がディスプレイに表示される。図１５〜１７のように提示される行動情報は、図１４の例と同様にユーザ１のユーザ端末３０２及びユーザ２のユーザ端末３０４に表示され、ユーザ１とユーザ２との間で行動情報を双方向に共有することができる。
【００７０】
このようにして、ケース１では、ユーザ１及びユーザ２はその日一日を振り返って「今日は友人と一緒に野球を観戦して楽しかった」という思い出（情報）を共有できる。即ち、ユーザは有益な情報を容易に共有することができる。
【００７１】
＜ケース２＞
次に、ユーザの状況が「ライブイベントモード」（図１２参照）である場合の情報提示について説明する。本ケース２では、ケース１と同じ状況で、ユーザ１（第１のユーザ）がＨ野球場での野球観戦中（18時〜21時）に行動情報取得要求（図４，５のステップＳ１０６を参照）を送信したものとする。図１１に示すように、「ライブイベントモード」では「現在地周辺（同一会場）」における、関連度１以上の人物の現在（サーバ１００が取得要求を受け付けた際）の行動情報を取得してユーザ１に提示する。本ケース２では、ケース１について上述したのと同様に、図８に示す各ユーザの行動パターン及び図９に示すユーザ同士の関連度を参照して、ユーザ２（ユーザ１にとって「友人または知人」：第２のユーザ）及びユーザ４（ユーザ１にとって「関連する他人」：他のユーザ）が抽出される。ユーザ３も関連度１であるが、図８に示すようにユーザ１とは行動パターンが共通でないので、行動情報は抽出されない。なお、ユーザ４のユーザ端末３０８（図１参照）を介して位置情報を取得することにより、ユーザ４が当該時刻にＨ野球場にいることを確認することができる。
【００７２】
図１８は、ケース２においてユーザに提示される情報の例を示す図である。図１８の例では、ユーザ１，２，及び４の現在の感情（ユーザ１，２が喜んでおり、ユーザ４は怒っている）をマークＭ３〜Ｍ５で示している。なお図１８の例において、ユーザ１，２，４の感情は、図１４，１５の例と同様に、ユーザ端末３０２，３０４，３０８が備える手首装着部３１６及び頭部装着部３１２（図３参照）で取得した脈拍及び脳波に基づいて、喜んでいるか怒っているかを推定することができる。なおマークＭ３〜Ｍ５は、ユーザの喜びや怒りの度合いに応じて異なるものを表示してよい。
【００７３】
図１８のような情報はユーザ１，２，４のユーザ端末３０２，３０４，３０８（図１参照）で同様に提示され、ユーザは双方向に情報を共有することができる。例えばユーザ１はこのような情報を見て「ユーザ４は怒っている。応援する球団が負けているからだろうか。」などのように想像して楽しむことができる。このように、ケース２においては、ユーザ１はユーザ２（友人または知人）との間だけでなく「他人ではあるが行動パターンが関連する人物」であるユーザ４との間でも行動情報（野球観戦中の感情という生体情報）を共有することができ、ユーザは有益な情報を容易に共有することができる。
【００７４】
なおケース２においても、ケース１と同様に図１２に示す「ユーザの行動情報と他のユーザに取得を要求する情報との関係」を適切に設定することで、ユーザ同士のプライバシーを守りつつ、有益な情報を共有することが可能になる。
【００７５】
＜ケース３＞
上述したケース２の「ライブイベントモード」では、現在（情報取得要求受付の際）近くにいる人物の行動情報をユーザに提示しているが、ケース３では、「現在その場所にいない人物であっても、行動情報の取得対象になる」場合について説明する。具体的には、ケース３ではユーザ１（第１のユーザ）がＪ美術館（図１０参照）を訪れて「芸術鑑賞モード」（脈拍：８５以下、脳波：α波）の状態であるときに、ユーザ端末３０２を介してサーバ１００に行動情報取得要求を送信したものとする（図４のステップＳ１０６を参照）。
【００７６】
図１１に示す関係を参照すると、取得要求の対象となるのは関連度１以上のユーザであり、図９に示す状況ではユーザ２〜４が該当するが、図８に示す各ユーザの行動パターンを参照し、「芸術鑑賞が多い」という行動がユーザ１と共通するユーザ３（ユーザ１にとっては「関連する他人」：他のユーザ）の行動情報を取得及び提示する。この場合、ユーザ３はユーザ１と同時刻にＪ美術館にいる必要はなく、過去にＪ美術館を訪れたことがあってその際の行動情報（移動経路、評価が高い作品のある場所、そのような作品を見たときの感情等）が取得されていればよい。
【００７７】
図１９は、そのようにして取得されたＪ美術館（平面図で示す）におけるユーザ３の行動情報がユーザ１のユーザ端末３０２に表示された例を示す。具体的には、Ｊ美術館内におけるユーザ３の移動経路（位置情報；図１９中の矢印方向）と、各作品を鑑賞したときの感情（生体情報）とが関連づけて表示されており、作品Ｗ１，Ｗ２，Ｗ５の位置にユーザの感情を表すマークＭ６〜Ｍ８が示されている。このように提示された情報を閲覧することにより、ユーザ１はユーザ３の移動経路や評価の高い作品の場所、及びそのような作品を観たときのユーザ３の感情を知ることができ、これを参考にして例えば「作品Ｗ１は面白い作品のようだし、作品Ｗ２はロマンチックな作品のようだからじっくり鑑賞しよう。作品Ｗ３と作品Ｗ４は何もマークがついておらず面白い作品ではなさそうだから飛ばしてしまおう。作品Ｗ５は要注意だな。」といったように楽しみながら行動することができる。
【００７８】
このように、ケース３ではユーザ１は「他人ではあるが行動パターンが関連する人物」でありさらに「現在その場にいない人物」であるユーザ３との間でも、有益な情報（評価が高い作品のある場所、そのような作品を見たときの感情）を容易に共有することができる。なおケース３においても、ケース１，２と同様に、ユーザ３の行動情報に対応するユーザ１の行動情報（Ｊ美術館内のユーザ１の移動経路、評価が高い作品のある場所、そのような作品を見たときの感情等）をユーザ３に提示してもよい。
【００７９】
なおケース３においても、ケース１，２と同様に図１２に示す「ユーザの行動情報と他のユーザに取得を要求する情報との関係」を適切に設定することで、ユーザ同士のプライバシーを守りつつ、有益な情報を共有することが可能になる。
【００８０】
以上説明したように、本発明に係る情報提示装置、情報提示方法、及び情報提示プログラムによれば、ユーザは有益な情報を容易に共有することができる。
【００８１】
なお、本発明は上述の実施形態に限定されず、本発明の精神を逸脱しない範囲で種々の変形が可能である。例えば、ユーザ端末は図３に示す構成に限らず端末本体、手首装着部、及び頭部装着部の一部により構成することができ（手首装着部に全ての機能を持たせる、等）、またユーザの他の部位（腕部、足、脚、胸部等）に装着する端末により構成してもよい。
【００８２】
また、行動情報として上述した以外の情報を扱ってもよい。例えば、生体情報として発汗、呼吸、音声の情報を取得することが考えられる。また、感情は喜怒哀楽及びそれ以外の感情に分類してよいし、感情の推定において脈拍及び脳波でなく上述した発汗、呼吸、音声等の生体情報を用いてもよい。また画像についての撮影情報の他に、メールやＳＮＳ等で送受信したテキスト情報を行動情報として用いてもよい。
【００８３】
また、上述したケース１〜３ではユーザ関連度を３段階に分けているが、４段階以上に分けてもよい。例えば、「友人または知人」を「親しい友人または知人」と「普通の友人または知人」に分けてもよいし、「同僚」など他の分類についての関連度を設定してもよい。ユーザの「モード」についても、図１２に示すものの他に「旅行」、「自宅」、「仕事」など他のモードを定義してもよい。また、上述したケース１〜３では便宜上ユーザが４人という少人数の場合について説明したが、多数のユーザの行動情報を取得し提示してよい。多数のユーザの行動情報を提示する場合、統計処理した結果を用いてもよい。
【符号の説明】
【００８４】
１  ユーザ
２  ユーザ
３  ユーザ
４  ユーザ
１０  情報提示システム
１００  サーバ
１０２  通信部
１０４  制御部
１０４Ｂ  ＲＯＭ
１０６  処理部
１０８  行動情報記憶部
１０９  施設情報記憶部
１１０  関係記憶部
２００  ネットワーク
３００  ユーザ端末
３０２  ユーザ端末
３０４  ユーザ端末
３０６  ユーザ端末
３０８  ユーザ端末
３１０  端末本体
３１２  頭部装着部
３１４  アンテナ
３１６  手首装着部
３１８  アンテナ
３２２  バス
３２３  ＲＯＭ
３２４  ＲＡＭ
３２５  制御部
３２７  記憶装置部
３２８  操作部
３３１  マイクロフォン
３３３  スピーカ
３３４  音声処理部
３３５  ディスプレイ
３３６  画像処理部
３３７  無線通信部
３３８  アンテナ
３４１  撮像部
３４２  画像処理部
３４３  位置計測部
３４４  アンテナ
Ｍ１  マーク
Ｍ２  マーク
Ｍ３  マーク
Ｍ４  マーク
Ｍ５  マーク
Ｍ６  マーク
Ｍ７  マーク
Ｍ８  マーク
Ｐ１  マーク
Ｐ２  マーク
Ｓ１００〜Ｓ１２４  情報提示方法の各ステップ
Ｗ１  作品
Ｗ２  作品
Ｗ３  作品
Ｗ４  作品
Ｗ５  作品
ｉ１  画像
ｉ２  画像
【図１】
0006474749.tif 000002
【図２】
0006474749.tif 000003
【図３】
0006474749.tif 000004
【図４】
0006474749.tif 000005
【図５】
0006474749.tif 000006
【図６】
0006474749.tif 000007
【図７】
0006474749.tif 000008
【図８】
0006474749.tif 000009
【図９】
0006474749.tif 000010
【図１０】
0006474749.tif 000011
【図１１】
0006474749.tif 000012
【図１２】
0006474749.tif 000013
【図１３】
0006474749.tif 000014
【図１４】
0006474749.tif 000015
【図１５】
0006474749.tif 000016
【図１６】
0006474749.tif 000017
【図１７】
0006474749.tif 000018
【図１８】
0006474749.tif 000019
【図１９】
0006474749.tif 000020